(57)【要約】  本発明は下記式（１）【化１】2007032377.tif 000027（式（１）中、Ｒ１及びＲ２はそれぞれ独立に水素原子、ハロゲン原子、シアノ基、カルボキシル基、スルホ基、スルファモイル基、Ｎ−アルキルアミノスルホニル基、Ｎ−フェニルアミノスルホニル基等を、Ｒ３、Ｒ４、Ｒ５、Ｒ６、Ｒ７及びＲ８はそれぞれ独立に水素原子、ハロゲン原子、ヒドロキシル基、シアノ基、カルボキシル基、スルホ基、スルファモイル基、Ｎ−アルキルアミノスルホニル基、Ｎ−フェニルアミノスルホニル基等を、ｎは０又は１を、それぞれ表す。）で表されるアゾ化合物又はその塩、それを含有するインク組成物、記録方法及び着色体に関するもので、該アゾ化合物を含有するインク組成物は長期保存安定性に優れ、該インク組成物による記録物は耐光性及び耐オゾンガス性優れる。【特許請求の範囲】
【請求項１】
下記式（１）で表されるアゾ化合物またはその塩
【化１】
2007032377.tif 000026
（式（１）中、Ｒ１及びＲ２はそれぞれ独立して水素原子、ハロゲン原子、シアノ基、カルボキシル基、スルホ基、スルファモイル基、Ｎ−アルキルアミノスルホニル基、Ｎ−フェニルアミノスルホニル基、ヒドロキシル基で置換されても良い（Ｃ１〜Ｃ４）アルキルスルホニル基、ホスホノ基、ニトロ基、アシル基、ウレイド基、（Ｃ１〜Ｃ４）アルキル基（ヒドロキシル基および（Ｃ１〜Ｃ４）アルコキシル基よりなる群から選択される基で置換されていても良い）、（Ｃ１〜Ｃ４）アルコキシル基（ヒドロキシル基、（Ｃ１〜Ｃ４）アルコキシル基、スルホ基およびカルボキシル基よりなる群から選択される基で置換されていても良い）、アシルアミノ基、アルキルスルホニルアミノ基又はフェニルスルホニルアミノ基（フェニル基はハロゲン原子、アルキル基およびニトロ基よりなる群から選択される基で置換されていても良い）を、
Ｒ３、Ｒ４、Ｒ５、Ｒ６、Ｒ７及びＲ８はそれぞれ独立して水素原子、ハロゲン原子、ヒドロキシル基、シアノ基、カルボキシル基、スルホ基、スルファモイル基、Ｎ−アルキルアミノスルホニル基、Ｎ−フェニルアミノスルホニル基、ヒドロキシル基で置換されても良い（Ｃ１〜Ｃ４）アルキルスルホニル基、ホスホノ基、ニトロ基、アシル基、ウレイド基、（Ｃ１〜Ｃ４）アルキル基（ヒドロキシル基又は（Ｃ１〜Ｃ４）アルコキシル基で置換されていても良い）、（Ｃ１〜Ｃ４）アルコキシル基（ヒドロキシル基、（Ｃ１〜Ｃ４）アルコキシル基、スルホ基又はカルボキシル基で置換されていても良い）、アシルアミノ基、アルキルスルホニルアミノ基又はフェニルスルホニルアミノ基（フェニル基はハロゲン原子、アルキル基又はニトロ基で置換されていても良い）を、
ｎは０又は１を、それぞれ表す。）
【請求項２】
Ｒ１がスルホ基またはカルボキシル基であり、Ｒ１の置換位置がアゾ基に対しオルト位の場合、ニトロ基の置換位置がアゾ基に対しパラ位であり、Ｒ１の置換位置がアゾ基に対しパラ位の場合、ニトロ基の置換位置がアゾ基に対しオルト位であり、Ｒ２が水素原子である請求項１に記載のアゾ化合物又はその塩
【請求項３】
Ｒ１がスルホ基で置換位置がアゾ基に対しオルト位、ニトロ基の置換位置がアゾ基に対しパラ位、Ｒ２が水素原子、ｎが１である請求項１に記載のアゾ化合物又はその塩
【請求項４】
Ｒ６及びＲ７がスルホ基である請求項１に記載のアゾ化合物又はその塩
【請求項５】
Ｒ５が水素原子、Ｒ６及びＲ７がスルホ基、Ｒ８がヒドロキシル基である請求項１に記載のアゾ化合物又はその塩
【請求項６】
Ｒ１がスルホ基又はカルボキシル基であり、Ｒ２が水素原子であり、Ｒ３が３−スルホプロポキシ基、カルボキシメトキシ基、スルホ基、２−ヒドロキシエトキシ基よりなる群から選択される基であり、Ｒ４がメチル基、アセチルアミノ基、水素原子、２−ヒドロキシエトキシ基、スルホ基よりなる群から選択される基であり、Ｒ５が水素原子、トルエンスルホニルアミノ基、スルホ基よりなる群から選択される基であり、Ｒ７が水素原子又はスルホ基であり、Ｒ６及びＲ８がそれぞれ独立にスルホ基又はヒドロキシル基であり、ｎが１である請求項１に記載のアゾ化合物又はその塩
【請求項７】
Ｒ１がスルホ基で置換位置がアゾ基に対しオルト位、ニトロ基の置換位置がアゾ基に対しパラ位、Ｒ２が水素原子、Ｒ５が水素原子、Ｒ６及びＲ７がスルホ基、Ｒ８がヒドロキシル基で置換位置がアゾ基に対してペリ位、ｎが1である請求項１に記載のアゾ化合物又はその塩
【請求項８】
Ｒ１がスルホ基で置換位置がアゾ基に対しオルト位、ニトロ基の置換位置がアゾ基に対しパラ位、Ｒ２が水素原子、Ｒ３が３−スルホプロポキシ基、Ｒ４がメチル基、Ｒ５が水素原子、Ｒ６及びＲ７がスルホ基、Ｒ８がヒドロキシル基で置換位置がアゾ基に対してペリ位、ｎが1である請求項１に記載のアゾ化合物又はその塩
【請求項９】
請求項１から８のいずれか一項に記載のアゾ化合物又はその塩を少なくとも１種含むことを特徴とするインク組成物
【請求項１０】
請求項９に記載のインク組成物を用いることを特徴とするインクジェットプリント記録方法
【請求項１１】
インクジェットプリント記録方法における被記録材が情報伝達用シートである請求項１０に記載のインクジェットプリント記録方法
【請求項１２】
情報伝達用シートが多孔性白色無機物を含有するものである請求項１１に記載のインクジェットプリント記録方法
【請求項１３】
請求項９に記載のインク組成物を含む容器を装填したインクジェットプリンタ
【請求項１４】
請求項１から８のいずれか一項に記載のアゾ化合物又はその塩によって着色された着色体
【請求項１５】
Ｒ３はヒドロキシ（Ｃ１〜Ｃ４）アルコキシル基、スルホ（Ｃ１〜Ｃ４）アルコキシル基、カルボキシル（Ｃ１〜Ｃ４）アルコキシル基又はスルホ基、Ｒ４は水素原子、ヒドロキシ（Ｃ１〜Ｃ４）アルコキシル基、スルホ基、（Ｃ１〜Ｃ４）アルキル基又は（Ｃ１〜Ｃ４）アシルアミノ基、Ｒ５は水素原子又は（Ｃ１〜Ｃ４）アルキル基で置換されたフェニルスルホニルアミノ基、Ｒ６及びＲ７はスルホ基、及びＲ８は水素原子、ヒドロキシル基又はスルホ基である請求項１に記載のアゾ化合物又はその塩。
【発明の詳細な説明】
【技術分野】
【０００１】
本発明は、新規なアゾ化合物又はその塩、これらを含有するインク組成物およびそれによる着色体に関する。
【背景技術】
【０００２】
各種のカラー記録法の中でも代表的方法の一つであるインクジェットプリンタによる記録方法は、インクの小滴を発生させこれを種々の被記録材料（紙、フィルム、布帛等）に付着させ記録を行うものである。この方法は、記録ヘッドと被記録材料とが直接接触しないため音の発生が少なく静かであり、また小型化、高速化が容易という特長の為近年急速に普及しつつあり、今後とも大きな伸長が期待されている。従来、万年筆、フェルトペン等用のインク及びインクジェット記録用インクとしては、水溶性染料を水性媒体中に溶解した水性インクが使用されており、これらの水性インクにおいてはペン先やインク吐出ノズルでのインクの目詰まりを防止すべく一般に水溶性有機溶剤が添加されている。そしてこれらのインクにおいては、十分な濃度の記録画像を与えること、ペン先やノズルの目詰まりを生じないこと、被記録材上での乾燥性がよいこと、滲みが少ないこと、保存安定性に優れること等が要求される。また使用される水溶性染料には特に水への溶解度が高いこと、インクに添加される水溶性有機溶剤への溶解度が高いことが要求される。更に、形成される画像には耐水性、耐光性、耐オゾンガス性、耐湿性等の画像堅牢性が求められている。【０００３】
これらのうちで、耐オゾンガス性とは、空気中に存在する酸化作用を持つオゾンガスなどが記録紙中で染料に作用し、印刷された画像を変退色させるという現象に対する耐性のことである。オゾンガスの他にも、この種の作用を持つ酸化性ガスとしては、ＮＯｘ、ＳＯｘ等が挙げられるが、これらの酸化性ガスの中でもオゾンガスがインクジェット記録画像の変退色現象をより促進させる主原因物質とされている。写真画質インクジェット専用紙の表面に設けられるインク受容層には、インクの乾燥を早めまた高画質でのにじみを少なくする為に、多孔性白色無機物等の素材を用いているものが多く、このような記録紙上でオゾンガスによる変退色が顕著に見られる。この酸化性ガスによる変退色現象はインクジェット画像に特徴的なものであるため、耐オゾンガス性の向上はインクジェット記録方法における最も重要な課題の１つとなっている。【０００４】
今後、インクを用いた印刷方法の使用分野を拡大すべく、インクジェット記録用に用いられるインク組成物及びそれによって着色された着色体には、耐光性、耐オゾンガス性、耐湿性、耐水性の更なる向上が強く求められている。【０００５】
種々の色相のインクが種々の染料から調製されているが、それらのうち黒色インクはモノカラーおよびフルカラー画像の両方に使用される重要なインクである。これら黒色インク用の染料として今日まで多くのものが提案されているが、市場の要求を充分に満足する製品を提供するには至っていない。提案されている多くの色素はアゾ色素であり、そのうちＣ．Ｉ．Ｆｏｏｄ  Ｂｌａｃｋ２等のジスアゾ色素については、画像の光学濃度が低い、耐水性や耐湿性が不良である、耐ガス性が十分でない等の問題がある。共役系を延ばしたポリアゾ色素については、一般に水溶性が低く記録画像が部分的に金属光沢を有するブロンジング現象が発生しやすい、耐ガス性が十分でない等の問題がある。また、同様に数多く提案されているアゾ含金色素の場合、金属イオンを含むため生物への安全性や環境問題の観点から好ましくなく、更に耐オゾンガス性が極めて低い等の問題がある。【０００６】
近年最も重要な課題となっている耐オゾンガス性について改良されたインクジェット用黒色インク用化合物（色素）としては、例えば特許文献１に記載のジスアゾ化合物が挙げられる。しかし、これらの化合物の耐オゾンガス性は市場要求を十分に満たすものではない。また、特許文献２、３にも黒色インク用化合物（色素）としてＨ酸（４−アミノ−５−ナフトール−２，７−ジスルホン酸）又はＫ酸（４−アミノ−５−ナフトール−１，７−ジスルホン酸）のアミノ基側にγ酸（６−アミノ−４−ナフトール−２−スルホン酸）又はＪ酸（７−アミノ−４−ナフトール−２−スルホン酸）残基がアゾ結合し、ヒドロキシル基側にフェニル基又はナフチル基誘導体がアゾ結合しているトリスアゾ化合物が記載されているが、市場の要求、特に耐オゾンガス性に対する要求を十分に満たしているものではない。【０００７】
【特許文献１】特開２００３−１８３５４５号
【特許文献２】特開昭６２−１０９８７２号
【特許文献３】特開２００３−２０１４１２号
【発明の開示】
【発明が解決しようとする課題】
【０００８】
本発明は、水を主要成分とする媒体に対する溶解性が高く、高濃度水溶液及びインクを長期間保存した場合でも安定であり、印字された画像の濃度が非常に高く、写真画質インクジェット専用紙に高濃度溶液を印字した場合でもその画像にブロンジングを起こさず、印字された画像の堅牢性、特に耐オゾンガス性に優れた黒色の記録画像を与え、また、合成が容易でありかつ安価である黒色インク用色素化合物とそのインク組成物を提供する事を目的とする。
【課題を解決するための手段】
【０００９】
本発明者らは前記したような課題を解決すべく鋭意研究を重ねた結果、特定のテトラキスアゾ化合物が前記課題を解決するものであることを見出し、本発明に至ったものである。即ち本発明は、
（１）下記式（１）で表されるアゾ化合物またはその塩、
【化１】
2007032377.tif 000002
（式（１）中、Ｒ１及びＲ２はそれぞれ独立して水素原子、ハロゲン原子、シアノ基、カルボキシル基、スルホ基、スルファモイル基、Ｎ−アルキルアミノスルホニル基、Ｎ−フェニルアミノスルホニル基、ヒドロキシル基で置換されても良い（Ｃ１〜Ｃ４）アルキルスルホニル基、ホスホノ基、ニトロ基、アシル基、ウレイド基、（Ｃ１〜Ｃ４）アルキル基（ヒドロキシル基および（Ｃ１〜Ｃ４）アルコキシル基よりなる群から選択される基で置換されていても良い）、（Ｃ１〜Ｃ４）アルコキシル基（ヒドロキシル基、（Ｃ１〜Ｃ４）アルコキシル基、スルホ基およびカルボキシル基よりなる群から選択される基で置換されていても良い）、アシルアミノ基、アルキルスルホニルアミノ基又はフェニルスルホニルアミノ基（フェニル基はハロゲン原子、アルキル基およびニトロ基よりなる群から選択される基で置換されていても良い）を、
Ｒ３、Ｒ４、Ｒ５、Ｒ６、Ｒ７及びＲ８はそれぞれ独立して水素原子、ハロゲン原子、ヒドロキシル基、シアノ基、カルボキシル基、スルホ基、スルファモイル基、Ｎ−アルキルアミノスルホニル基、Ｎ−フェニルアミノスルホニル基、ヒドロキシル基で置換されても良い（Ｃ１〜Ｃ４）アルキルスルホニル基、ホスホノ基、ニトロ基、アシル基、ウレイド基、（Ｃ１〜Ｃ４）アルキル基（ヒドロキシル基又は（Ｃ１〜Ｃ４）アルコキシル基で置換されていても良い）、（Ｃ１〜Ｃ４）アルコキシル基（ヒドロキシル基、（Ｃ１〜Ｃ４）アルコキシル基、スルホ基およびカルボキシル基よりなる群から選択される基で置換されていても良い）、アシルアミノ基、アルキルスルホニルアミノ基又はフェニルスルホニルアミノ基（フェニル基はハロゲン原子、アルキル基およびニトロ基よりなる群から選択される基で置換されていても良い）を、
ｎは０又は１を、それぞれ表す。）、
（２）Ｒ１がスルホ基またはカルボキシル基であり、Ｒ１の置換位置がアゾ基に対しオルト位の場合、ニトロ基の置換位置がアゾ基に対しパラ位であり、Ｒ１の置換位置がアゾ基に対しパラ位の場合、ニトロ基の置換位置がアゾ基に対しオルト位であり、Ｒ２が水素原子である（１）に記載のアゾ化合物又はその塩、
（３）Ｒ１がスルホ基で置換位置がアゾ基に対しオルト位、ニトロ基の置換位置がアゾ基に対しパラ位、Ｒ２が水素原子、ｎが１である（１）に記載のアゾ化合物又はその塩、
（４）Ｒ６及びＲ７がスルホ基である（１）から（３）のいずれか一項に記載のアゾ化合物又はその塩、
（５）Ｒ５が水素原子、Ｒ６及びＲ７がスルホ基、Ｒ８がヒドロキシル基である（１）から（４）のいずれか一項に記載のアゾ化合物又はその塩、
（６）Ｒ１がスルホ基又はカルボキシル基であり、Ｒ２が水素原子であり、Ｒ３が３−スルホプロポキシ基、カルボキシメトキシ基、スルホ基、２−ヒドロキシエトキシ基よりなる群から選択される基であり、Ｒ４がメチル基、アセチルアミノ基、水素原子、２−ヒドロキシエトキシ基、スルホ基よりなる群から選択される基であり、Ｒ５が水素原子、トルエンスルホニルアミノ基、スルホ基よりなる群から選択される基であり、Ｒ７が水素原子又はスルホ基であり、Ｒ６及びＲ８がそれぞれ独立にスルホ基又はヒドロキシル基であり、ｎが１である（１）に記載のアゾ化合物又はその塩、
（７）Ｒ１がスルホ基で置換位置がアゾ基に対しオルト位、ニトロ基の置換位置がアゾ基に対しパラ位、Ｒ２が水素原子、Ｒ５が水素原子、Ｒ６及びＲ７がスルホ基、Ｒ８がヒドロキシル基で置換位置がアゾ基に対してペリ位、ｎが１である（１）に記載のアゾ化合物又はその塩、
（８）Ｒ１がスルホ基で置換位置がアゾ基に対しオルト位、ニトロ基の置換位置がアゾ基に対しパラ位、Ｒ２が水素原子、Ｒ３が３−スルホプロポキシ基、Ｒ４がメチル基、Ｒ５が水素原子、Ｒ６及びＲ７がスルホ基、Ｒ８がヒドロキシル基で置換位置がアゾ基に対してペリ位、ｎが1である（１）に記載のアゾ化合物又はその塩、
（９）（１）から（８）のいずれか一項に記載のアゾ化合物又はその塩を少なくとも１種含むことを特徴とするインク組成物、
（１０）（９）に記載のインク組成物を用いることを特徴とするインクジェットプリント記録方法、
（１１）インクジェットプリント記録方法における被記録材が情報伝達用シートである（１０）に記載のインクジェットプリント記録方法、
（１２）情報伝達用シートが多孔性白色無機物を含有するものである（１１）に記載のインクジェットプリント記録方法、
（１３）（９）に記載のインク組成物を含む容器を装填したインクジェットプリンタ、
（１４）（１）から（８）のいずれか一項に記載のアゾ化合物又はその塩によって着色された着色体、
（１５）  Ｒ３はヒドロキシ（Ｃ１〜Ｃ４）アルコキシル基、スルホ（Ｃ１〜Ｃ４）アルコキシル基、カルボキシル（Ｃ１〜Ｃ４）アルコキシル基又はスルホ基、Ｒ４は水素原子、ヒドロキシ（Ｃ１〜Ｃ４）アルコキシル基、スルホ基、（Ｃ１〜Ｃ４）アルキル基又は（Ｃ１〜Ｃ４）アシルアミノ基、Ｒ５は水素原子又は（Ｃ１〜Ｃ４）アルキル基で置換されたフェニルスルホニルアミノ基、Ｒ６及びＲ７はスルホ基、及びＲ８は水素原子、ヒドロキシル基又はスルホ基である上記（１）〜（３）に記載のアゾ化合物又はその塩、
に関する。
【発明の効果】
【００１０】
本発明のアゾ化合物又はその塩（以下両者を纏めて単にアゾ化合物という）は水溶解性に優れるので、インク組成物製造過程でのメンブランフィルターによるろ過性が良好であり、記録液の保存時の安定性や吐出安定性にも優れている。又、このアゾ化合物を含有する本発明のインク組成物は長期間保存後の結晶析出、物性変化、色変化等もなく、貯蔵安定性が良好である。又、本発明のアゾ化合物を含有するインク組成物は、インクジェット記録用、筆記用具用として好適に用いられ、普通紙及びインクジェット専用紙に記録した場合の記録画像の印字濃度が非常に高く、高濃度溶液を印字した場合でもその画像にブロンジングを起こさず、さらに各種堅牢性、特に耐オゾンガス性に優れている。マゼンタ、シアン及びイエロー染料を用いたインク組成物と共に用いることで各種堅牢性に優れ、保存性の優れたフルカラーのインクジェット記録が可能である。このように本発明のインク組成物はインクジェット記録用ブラックインクとして極めて有用である。
【発明を実施するための最良の形態】
【００１１】
以下、本発明を詳細に説明する。
本発明において「アルキル」又は「アシル」の用語は特に限定はないが、通常アルキル基としては「（Ｃ１〜Ｃ４）アルキル」また、アシルとしては「（Ｃ２〜Ｃ５）脂肪族アシル若しくは（Ｃ７〜Ｃ１１）芳香族アシル」が好ましい。また、「ハロゲン」の用語も特に限定はないが、通常「塩素原子」又は「臭素原子」が好ましい。
Ｒ１〜Ｒ８において、Ｎ−アルキルアミノスルホニル基の例としては例えば、Ｎ−メチルアミノスルホニル、Ｎ−エチルアミノスルホニル、Ｎ−（ｎ−プロピル）アミノスルホニル、Ｎ−（ｉ−プロピル）アミノスルホニル、Ｎ−（ｎ−ブチル）アミノスルホニル、Ｎ−（ｉ−ブチル）アミノスルホニル、Ｎ−（ｓｅｃ−ブチル）アミノスルホニル、Ｎ−（ｔ−ブチル）アミノスルホニル、Ｎ，Ｎ−ジメチルアミノスルホニル、Ｎ，Ｎ−ジエチルアミノスルホニル、Ｎ，Ｎ−ジ（ｎ−プロピル）アミノスルホニル又はＮ，Ｎ−ジ（ｎ−ブチル）アミノスルホニル等のＮ−（Ｃ１〜Ｃ４）アルキルアミノスルホニル基が挙げられる。【００１２】
Ｒ１〜Ｒ８において、ヒドロキシル基で置換されても良い（Ｃ１〜Ｃ４）アルキルスルホニル基の例としては例えば、メチルスルホニル、エチルスルホニル、プロピルスルホニル、ブチルスルホニル、ヒドロキシエチルスルホニル、２−ヒドロキシプロピルスルホニル等が挙げられる。【００１３】
Ｒ１〜Ｒ８において、アシル基の例としては例えば、アセチル、プロピオニル、ブチリル、イソブチリル、ベンゾイル又はナフトイル等が挙げられ、（Ｃ２〜Ｃ５）脂肪族アシル基又は（Ｃ７〜Ｃ１１）芳香族アシルが好ましい。【００１４】
Ｒ１〜Ｒ８において、ヒドロキシル基又は（Ｃ１〜Ｃ４）アルコキシル基で置換されても良い（Ｃ１〜Ｃ４）アルキル基の例としては例えば、メチル、エチル、ｎ−プロピル、イソプロピル、ｎ−ブチル、イソブチル、ｓｅｃ−ブチル、ｔｅｒｔ−ブチル、２−ヒドロキシエチル、２−ヒドロキシプロピル、３−ヒドロキシプロピル、メトキシエチル、２−エトキシエチル、ｎ−プロポキシエチル、イソプロポキシエチル、ｎ−ブトキシエチル、メトキシプロピル、エトキシプロピル、ｎ−プロポキシプロピル、イソプロポキシブチル、ｎ−プロポキシブチル又はｎ−ブチロキシブチル等が挙げられる。【００１５】
Ｒ１〜Ｒ８において、ヒドロキシル基、（Ｃ１〜Ｃ４）アルコキシル基、スルホ基及びカルボキシル基よりなる群から選択される基で置換されても良い（Ｃ１〜Ｃ４）アルコキシル基の例としては例えば、メトキシ、エトキシ、ｎ−プロポキシ、イソプロポキシ、ｎ−ブトキシ、ｓｅｃ−ブトキシ、ｔｅｒｔ−ブトキシ、２−ヒドロキシエトキシ、２−ヒドロキシプロポキシ、３−ヒドロキシプロポキシ、メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ、２−ヒドロキシエトキシエトキシ、カルボキシメトキシ、２−カルボキシエトキシ、３−カルボキシプロポキシ、３−スルホプロポキシ又は４−スルホブトキシ等が挙げられ、ヒドロキシ基、スルホ基およびカルボキシル基よりなる群から選択される基で置換された（Ｃ１〜Ｃ４）アルコキシ基が好ましく、スルホ（Ｃ１〜Ｃ４）アルコキシ基がより好ましい。【００１６】
Ｒ１〜Ｒ８において、アシルアミノ基の例としては例えば、アセチルアミノ、プロピオニルアミノ、ブチリルアミノ、イソブチリルアミノ、ベンゾイルアミノ又はナフトイルアミノ等が挙げられる。【００１７】
Ｒ１〜Ｒ８において、アルキルスルホニルアミノ基の例としては例えば、メチルスルホニルアミノ、エチルスルホニルアミノ、プロピルスルホニルアミノ又はブチルスルホニルアミノ等が挙げられる。【００１８】
Ｒ１〜Ｒ８において、ハロゲン原子、アルキル基およびニトロ基よりなる群から選択される基で置換されても良いフェニルスルホニルアミノ基の例としては例えば、ベンゼンスルホニルアミノ、トルエンスルホニルアミノ、クロロベンゼンスルホニルアミノ又はニトロベンゼンスルホニルアミノ等が挙げられ、トルエンスルホニルアミノがより好ましい。【００１９】
式（１）における好ましいＲ１及びＲ２は、それぞれ独立に、水素原子、塩素原子、臭素原子、シアノ、カルボキシル、スルホ、スルファモイル、Ｎ−メチルアミノスルホニル、Ｎ−フェニルアミノスルホニル、メチルスルホニル、ヒドロキシエチルスルホニル、ホスホノ、ニトロ、アセチル、ベンゾイル、ウレイド、メチル、メトキシ、エチル、エトキシ、プロピル、プロポキシ、２−ヒドロキシエトキシ、２−メトキシエトキシ、２−エトキシエトキシ、３−スルホプロポキシ、４−スルホブトキシ、カルボキシメトキシ、２−カルボキシエトキシ、アセチルアミノ、ベンゾイルアミノ等であり、より好ましくは、水素原子、塩素原子、シアノ、スルファモイル、アセチル、メチルスルホニル、ヒドロキシエチルスルホニル、ニトロ、カルボキシル又はスルホであり、さらに好ましくは、水素原子、カルボキシル又はスルホである。さらに好ましいＲ１は、カルボキシル又はスルホであり、スルホが特に好ましい。Ｒ２は水素原子が特に好ましい。置換位置は、Ｒ１の置換位置がアゾ基に対しオルト位の場合、ニトロ基の置換位置がアゾ基に対しパラ位であり、Ｒ１の置換位置がアゾ基に対しパラ位の場合、ニトロ基の置換位置がアゾ基に対しオルト位であることが好ましい。
式（１）におけるＲ１ および Ｒ２で置換されたフェニル基としてはｐ−ニトロ-ｏ−スルホフェニル、ｐ−スルホ−ｏ−ニトロフェニル又はｐ−ニトロ-ｏ−カルボキシフェニルが好ましく、前２者がより好ましく、ｐ−ニトロ-ｏ−スルホフェニルが最も好ましい。【００２０】
好ましいＲ３及びＲ４は、それぞれ独立に、水素原子、塩素原子、ヒドロキシル、シアノ、カルボキシル、スルホ、スルファモイル、Ｎ−メチルアミノスルホニル、Ｎ−フェニルアミノスルホニル、メチルスルホニル、ヒドロキシエチルスルホニル、ニトロ、アセチル、ベンゾイル、ウレイド、メチル、メトキシ、エチル、エトキシ、プロピル、プロポキシ、２−ヒドロキシエトキシ、２−メトキシエトキシ、２−エトキシエトキシ、３−スルホプロポキシ、４−スルホブトキシ、カルボキシメトキシ、２−カルボキシエトキシ、アセチルアミノ、ベンゾイルアミノ等であり、より好ましくは、水素原子、メチル、エチル、メトキシ、エトキシ、２−ヒドロキシエトキシ、３−スルホプロポキシ、カルボキシル、スルホであり、さらに好ましくは、水素原子、メチル、３−スルホプロポキシ、カルボキシル、スルホである。好ましいＲ３ としてはヒドロキシ(Ｃ１〜Ｃ４）アルコキシ基、カルボキシ(Ｃ１〜Ｃ４）アルコキシ基又はスルホ基が挙げられ、スルホ(Ｃ１〜Ｃ４）アルコキシ基又はカルボキシ(Ｃ１〜Ｃ４）アルコキシ基がより好ましく、スルホ(Ｃ１〜Ｃ４）アルコキシ基が最も好ましい。好ましいＲ４ としては水素原子、(Ｃ１〜Ｃ４）アルキル基又は(Ｃ１〜Ｃ４）アシル基が挙げられ、(Ｃ１〜Ｃ４）アルキル基がより好ましい。いずれか一方の好ましいものに、他方の好ましいものを組み合わせた場合はより好ましい。Ｒ３及びＲ４の置換位置は、左側のアゾ基の置換位置を１として、２および５位に置換するのが好ましい。【００２１】
好ましいＲ５〜Ｒ８は、水素原子、塩素原子、臭素原子、ヒドロキシル、シアノ、カルボキシル、スルホ、スルファモイル、Ｎ−メチルアミノスルホニル、Ｎ−フェニルアミノスルホニル、メチルスルホニル、ヒドロキシエチルスルホニル、ホスホ、ニトロ、アセチル、ベンゾイル、ウレイド、メチル、メトキシ、エチル、エトキシ、プロピル、プロポキシ、２−ヒドロキシエトキシ、２−メトキシエトキシ、２−エトキシエトキシ、３−スルホプロポキシ、４−スルホブトキシ、カルボキシメトキシ、２−カルボキシエトキシ、アセチルアミノ、ベンゾイルアミノ、ｐ−メチルフェニルスルホニルアミノ等であり、より好ましくは、水素原子、ヒドロキシル、カルボキシル、スルホ、スルファモイル、ヒドロキシエチルスルホニル、ニトロ、メチル、メトキシ、エチル又はエトキシであり、更に好ましくは水素原子、ヒドロキシル、カルボキシル、スルホ又はスルファモイルである。好ましいＲ５ としては水素原子又は、（Ｃ１〜Ｃ４）アルキル基で置換されていてもよいフェニルスルホニルアミノが挙げられ、より好ましくは水素原子である。好ましいＲ６及びＲ７としてはスルホが挙げられる。好ましいＲ８としては水素原子、スルホ又ヒドロキシルが挙げられ、ヒドロキシルがより好ましい。Ｒ８の置換位置はアゾ基に対してペリ位（8位）が好ましい。これらの好ましいＲ５〜Ｒ８の組み合わせはより好ましい。
Ｒ５〜Ｒ８の最も好ましい組み合わせはＲ５が水素原子、Ｒ６及びＲ７がスルホ、Ｒ８がヒドロキシルであり、Ｒ８の置換位置はアゾ基に対してペリ位である場合である。
ｎは０又は１のいずれでもよいが、１が好ましい。【００２２】
前記式（１）で示されるアゾ化合物の塩は、無機又は有機の陽イオンの塩である。そのうち無機塩の具体例としては、アルカリ金属塩、アルカリ土類金属塩およびアンモニウム塩が挙げられ、好ましい無機塩は、リチウム、ナトリウム、カリウムの塩およびアンモニウム塩であり、又、有機の陽イオンの塩としては例えば下記式（２）で示される化合物の塩があげられるがこれらに限定されるものではない。【００２３】
【化２】
2007032377.tif 000003
【００２４】
式（２）においてＺ１、Ｚ２、Ｚ３及びＺ４は、それぞれ独立に水素原子、アルキル基、ヒドロキシアルキル基およびヒドロキシアルコキシアルキル基よりなる群から選択される基を表す。
式（２）におけるＺ１、Ｚ２、Ｚ３又はＺ４のアルキル基の具体例としてはメチル、エチル、ｎ−プロピル、イソプロピル、ｎ−ブチル、イソブチル、ｓｅｃ−ブチル、ｔｅｒｔ−ブチルなどが挙げられ、ヒドロキシアルキル基の具体例としてはヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシ−（Ｃ１〜Ｃ４）アルキル基が挙げられ、ヒドロキシアルコキシアルキル基の例としては、ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシ（Ｃ１〜Ｃ４）アルコキシ−（Ｃ１〜Ｃ４）アルキル基が挙げられ、これらのうちヒドロキシエトキシ−（Ｃ１〜Ｃ４）アルキル基が好ましい。特に好ましいものとしては水素原子；メチル；ヒドロキシメチル、ヒドロキシエチル、３−ヒドロキシプロピル、２−ヒドロキシプロピル、４−ヒドロキシブチル、３−ヒドロキシブチル、２−ヒドロキシブチル等のヒドロキシ−（Ｃ１〜Ｃ４）アルキル基；ヒドロキシエトキシメチル、２−ヒドロキシエトキシエチル、３−ヒドロキシエトキシプロピル、２−ヒドロキシエトキシプロピル、４−ヒドロキシエトキシブチル、３−ヒドロキシエトキシブチル、２−ヒドロキシエトキシブチル等のヒドロキシエトキシ−（Ｃ１〜Ｃ４）アルキル基が挙げられる。これらのＺ１、Ｚ２、Ｚ３又はＺ４ の好ましい組み合わせとしてはいずれか2者が水素原子又は/及び（Ｃ１〜Ｃ４）アルキル基であり、残りの2者がヒドロキシ（Ｃ１〜Ｃ４）アルキル基又はいずれか１者が水素原子であり、残りの３者がヒドロキシ（Ｃ１〜Ｃ４）アルキル基である場合が好ましい。【００２５】
式（２）のＺ１、Ｚ２、Ｚ３、Ｚ４ の具体例を表１に示す。【００２６】
【表１】
2007032377.tif 000004
【００２７】
式（１）で示される本発明のアゾ化合物は、例えば次のような方法で合成することができる。また、各工程における化合物の構造式は遊離酸の形で表すものとする。
下記式（３）で表される化合物【００２８】
【化３】
2007032377.tif 000005
【００２９】
（式（３）中、ｎは式（１）におけるのと同じ意味を有する。）
とｐ−トルエンスルホニルクロライドとをアルカリ存在下で反応させることにより、下記式（４）【００３０】
【化４】
2007032377.tif 000006
【００３１】
（式（４）中、ｎは前記と同じ意味を有する。）
で表される化合物を得る。得られた式（４）の化合物を常法によりジアゾ化した後、該ジアゾ化物を４−アミノ−５−ナフトール−１,７−ジスルホン酸と酸性条件下でカップリング反応させることにより、下記式（５）【００３２】
【化５】
2007032377.tif 000007
【００３３】
（式（５）中、ｎは前記と同じ意味を有する。）
で表される化合物を得る。得られた式（５）の化合物に、下記式（６）【００３４】
【化６】
2007032377.tif 000008
【００３５】
（式（６）中、Ｒ１及びＲ２は式（１）におけるのと同じ意味を有する。）
で表される化合物を常法によりジアゾ化したものをカップリング反応させ、下記式（７）【００３６】
【化７】
2007032377.tif 000009
【００３７】
（式（７）中、Ｒ１、Ｒ２及びｎは前記と同じ意味を有する。）
で表される化合物を得る。得られた式（７）の化合物をアルカリ条件下、加水分解し、下記式（８）【００３８】
【化８】
2007032377.tif 000010
【００３９】
（式（８）中、Ｒ１、Ｒ２及びｎは前記と同じ意味を有する。）
で表される化合物を得る。
次いで下記式（９）【００４０】
【化９】
2007032377.tif 000011
（式（９）中、Ｒ５〜Ｒ８は式（１）におけるのと同じ意味を有する。）で表される化合物を常法によりジアゾ化し、該ジアゾ化物と、下記式（１０）【００４１】
【化１０】
2007032377.tif 000012
（式（１０）中、Ｒ３及びＲ４は式（１）におけるのと同じ意味を有する。）で表される化合物とをカップリング反応させて下記式（１１）【００４２】
【化１１】
2007032377.tif 000013
（式（１１）中、Ｒ３からＲ８は前記と同じ意味を有する。）で表されるモノアゾ化合物を得る。得られた式（１１）の化合物を常法によりジアゾ化し、該ジアゾ化物と、先に得られた式（８）の化合物とをカップリング反応させる事により式（１）で表される本発明のアゾ化合物又はその塩を得ることができる。【００４３】
式（１）に示した本発明の化合物の好適な具体例として、特に限定されるものではないが、下記式で示される化合物が挙げられる。各表においてスルホ基及びカルボキシル基は遊離酸の形で表すものとする。【００４４】
【表２−１】
2007032377.tif 000014
【００４５】
【表２−２】
2007032377.tif 000015
【００４６】
前記式（３）の化合物とｐ−トルエンスルホニルクロリドとの反応はそれ自体公知の方法で実施され、水又は水性有機媒体中、例えば２０〜１００℃、好ましくは３０〜８０℃の温度ならびに中性からアルカリ性のｐＨ値で行うことが有利である。好ましくは中性から弱アルカリ性のｐＨ値、たとえばｐＨ７〜１０で実施される。このｐＨ値の調整は塩基の添加によって実施される。塩基としては、たとえば水酸化リチウム、水酸化ナトリウムのごときアルカリ金属水酸化物、炭酸リチウム、炭酸ナトリウム、炭酸カリウムのごときアルカリ金属炭酸塩、酢酸ナトリウムのごとき酢酸塩などが使用できる。式（３）の化合物とｐ−トルエンスルホニルクロリドは、ほぼ化学量論量で用いる。【００４７】
式（４）の化合物のジアゾ化はそれ自体公知の方法で実施される。たとえば無機酸媒質中、例えば−５〜３０℃、好ましくは５〜１５℃の温度で亜硝酸塩、たとえば亜硝酸ナトリウムのごとき亜硝酸アルカリ金属塩を使用して実施される。式（４）の化合物のジアゾ化物と４−アミノ−５−ナフトール−１,７−ジスルホン酸とのカップリングもそれ自体公知の条件で実施される。例えば該カップリング反応を、水又は水性有機媒体中、例えば−５〜３０℃、好ましくは０〜２５℃の温度ならびに酸性から中性好ましくは酸性から弱酸性のｐＨ値、たとえばｐＨ１〜４のｐＨ値で行うのが有利である。通常カップリング反応系内は強く酸性化するので、塩基の添加によって、好ましくは酸性から弱酸性のｐＨ値、たとえばｐＨ１〜４に反応系内を保つのが好ましい。塩基としては、たとえば水酸化リチウム、水酸化ナトリウムのごときアルカリ金属水酸化物、炭酸リチウム、炭酸ナトリウム、炭酸カリウムのごときアルカリ金属炭酸塩、酢酸ナトリウムのごとき酢酸塩、アンモニア又は有機アミンなどが使用できる。式（４）の化合物と４−アミノ−５−ナフトール−１,７−ジスルホン酸とは、ほぼ化学量論量で用いる。【００４８】
式（６）の化合物のジアゾ化もそれ自体公知の方法で実施され、たとえば無機酸媒質中例えば−５〜３０℃、好ましくは０〜１５℃の温度で亜硝酸塩、たとえば亜硝酸ナトリウムのごとき亜硝酸アルカリ金属塩を使用して実施される。式（６）の化合物のジアゾ化物と式（５）の化合物のカップリングもそれ自体公知の条件で実施される。水又は水性有機媒体中、例えば−５〜５０℃、好ましくは１０〜４０℃の温度ならびに弱酸性からアルカリ性のｐＨ値、たとえばｐＨ５〜１０で行うことが有利である。ｐＨ値の調整は塩基の添加によって実施される。塩基としては、たとえば水酸化リチウム、水酸化ナトリウムのごときアルカリ金属水酸化物、炭酸リチウム、炭酸ナトリウム又は炭酸カリウムのごときアルカリ金属炭酸塩、酢酸ナトリウムのごとき酢酸塩、あるいはアンモニア又は有機アミンなどが使用できる。式（５）と（６）の化合物は、ほぼ化学量論量で用いる。【００４９】
式（７）の化合物の加水分解による式（８）の化合物の製造もそれ自体公知の方法で実施される。有利には水性アルカリ性媒質中で加熱する方法であり、たとえば式（７）の化合物を含有する溶液に水酸化ナトリウム又は水酸化カリウムを加えｐＨを９．５以上としたのち、例えば２０〜１５０℃の温度、好ましくは３０〜１００℃の温度に加熱することによって実施される。このとき反応溶液のｐＨ値は９．５〜１１．５に維持することが好ましい。このｐＨ値の調整は塩基の添加によって実施される。塩基は前記したものを用いることができる。【００５０】
式（９）の化合物のジアゾ化もそれ自体公知の方法で実施される。たとえば該ジアゾ化は無機酸媒質中例えば−５〜３０℃、好ましくは０〜１５℃の温度で亜硝酸塩、たとえば亜硝酸ナトリウムのごとき亜硝酸アルカリ金属塩を使用して実施される。式（９）の化合物のジアゾ化物と式（１０）の化合物のカップリングもそれ自体公知の条件で実施される。水又は水性有機媒体中、例えば−５〜５０℃、好ましくは５〜４０℃の温度ならびに酸性から中性のｐＨ値で行うことが有利である。たとえばｐＨ１〜７で実施され、ｐＨ値の調整は塩基の添加によって実施される。塩基としては、たとえば水酸化リチウム、水酸化ナトリウムのごときアルカリ金属水酸化物、炭酸リチウム、炭酸ナトリウム又は炭酸カリウムのごときアルカリ金属炭酸塩、酢酸ナトリウムのごとき酢酸塩、あるいはアンモニア又は有機アミンなどが使用できる。式（９）と（１０）の化合物は、ほぼ化学量論量で用いる。【００５１】
式（１１）の化合物のジアゾ化もそれ自体公知の方法で実施され、たとえば無機酸媒質中例えば−５〜３０℃、好ましくは０〜２５℃若しくは５〜２５℃の温度で、亜硝酸塩、たとえば亜硝酸ナトリウムのごとき亜硝酸アルカリ金属塩を使用して実施される。式（１１）の化合物のジアゾ化物と式（８）の化合物のカップリングもそれ自体公知の条件で実施される。水又は水性有機媒体中、例えば−５〜５０℃、好ましくは１０〜４０℃の温度ならびに弱酸性からアルカリ性、好ましくは弱酸性から弱アルカリ性のｐＨ値、たとえばｐＨ６〜１１，好ましくはｐＨ６〜１０のｐＨ値で該カップリング反応を行うことが有利である。ｐＨ値の調整は塩基の添加によって実施される。塩基としては、たとえば水酸化リチウム、水酸化ナトリウムのごときアルカリ金属水酸化物、炭酸リチウム、炭酸ナトリウム又は炭酸カリウムのごときアルカリ金属炭酸塩、酢酸ナトリウムのごとき酢酸塩、あるいはアンモニア又は有機アミンなどが使用できる。式（８）と（１１）の化合物は、ほぼ化学量論量で用いる。【００５２】
本発明の式（１）で示されるアゾ化合物は、カップリング反応後、反応液のｐＨを中性に調整後、塩化ナトリウム等の塩の添加により、塩析し、ナトリウム塩等の塩若しくは塩とフリーの酸との混合物として得られる。得られた化合物は、必要に応じて、水へ溶解し、アルコール（メタノール、２−プロパノール等）を加えて行う晶析を、適宜１〜３回程度行うことにより金属陽イオンの塩化物及び/又は硫酸塩等の無機塩を除去することができ、該無機塩含量の少ない目的のアゾ化合物を得ることが出来る。また、カップリング反応後、該反応液に鉱酸を添加することにより遊離酸の形で単離する事もできる。単離された化合物を水又は酸性化した水で洗浄することにより無機塩を除去する事が出来る。次に、この様にして得られる低い塩含有率を有する遊離酸型色素（化合物）は、水性媒体中で所望の無機又は有機の塩基により中和することで対応する塩の溶液とすることが出来る。無機の塩基の例としては、例えば水酸化リチウム、水酸化ナトリウム、水酸化カリウムなどのアルカリ金属の水酸化物、水酸化アンモニウム、あるいは炭酸リチウム、炭酸ナトリウム、炭酸カリウムなどのアルカリ金属の炭酸塩などが挙げられ、有機の塩基の例としては、有機アミン、例えばジエタノールアミン、トリエタノールアミンなどの前記した式（２）で表されるアルカノールアミン類等が挙げられるがこれらに限定されるものではない。【００５３】
次に、本発明のアゾ化合物の代表的な用途について説明する。
本発明のアゾ化合物は黒色の色素として、常法により、各種の物品の染色に使用することが出来る。代表的な使用法は、該化合物を液体の媒体、好ましくは水性媒体に溶解し、水性組成物として、染色に使用するものである。該アゾ化合物を含む水性組成物は、セルロースからなる材料を染色することが可能である。また、該水性組成物はカルボンアミド結合を有する材料の染色も可能である。従って該水性組成物は、皮革、織物、紙等の染色に幅広く用いることができる。また、該水性組成物の典型的なものとしてはインク組成物が挙げられる。【００５４】
前記式（１）で示される本発明のアゾ化合物を含む反応液、例えば後述する実施例１（３）における３５％塩酸によりｐＨ７．０〜８．０とする前の反応液などは、場合によりそのまま上記水性組成物、特にインク組成物の製造に使用することが出来る。しかし、通常は、まずこの反応液を乾燥、例えばスプレー乾燥させて単離するか、後記実施例のように、必要に応じてｐＨを調整し、塩化ナトリウム、塩化カリウム、塩化カルシウム、硫酸ナトリウム等の無機塩類によって塩析するか、塩酸、硫酸、硝酸等の鉱酸によって酸析するか、あるいは前記した塩析と酸析を組み合わせた酸塩析することによって本発明のアゾ化合物を単離し、必要に応じて無機塩類の除去を行い、次にこれを用いて上記水性組成物、特にインク組成物を調製するのが好ましい。該水性組成物における本発明のアゾ化合物の含量は目的に応じて種々に変えることが可能で、該水性組成物全体に対して通常１〜２５質量％程度である。該水性組成物は、そのほか水溶性有機溶剤を０〜３０質量％、その他の添加剤０〜２０質量％程度含んでもよく、残部は水である。【００５５】
以下に、該水性組成物の最も典型的な組成物であるインク組成物についてより詳しく説明する。
本発明のインク組成物は、本発明の式（１）で示されるアゾ化合物を通常０．１〜２０質量％、好ましくは１〜１０質量％、より好ましくは２〜８質量％含有する水を主要な媒体とする組成物である。本発明のインク組成物には、さらに水溶性有機溶剤を例えば０〜３０質量％、好ましくは２〜２５質量％、インク調製剤を例えば０〜１０質量％、好ましくは０〜７質量％、場合によっては０〜５質量％含有していても良い。通常水溶性有機溶剤は２〜２５質量％、好ましくは５〜２０％含有するのが好ましい。なお、インク組成物のｐＨとしては、保存安定性を向上させる点で、ｐＨ５〜１１が好ましく、ｐＨ７〜１０がより好ましい。また、インク組成物の表面張力としては、２５〜７０ｍＮ／ｍが好ましく、２５〜６０ｍＮ／ｍがより好ましい。さらに、インク組成物の粘度としては、３０ｍＰａ・ｓ以下が好ましく、２０ｍＰａ・ｓ以下がより好ましい。本発明のインク組成物のｐＨ及び表面張力は後記するｐＨ調整剤及び界面活性剤で適宜調整することが可能である。【００５６】
本発明のインク組成物は、前記の式（１）で示されるアゾ化合物を水又は水溶性有機溶剤（水と混和可能な有機溶剤）に溶解し、必要に応じインク調製剤を添加したものである。このインク組成物をインクジェットプリンタ用のインクとして使用する場合、本発明のアゾ化合物としては、金属陽イオンの塩化物又は硫酸塩等の無機塩類などの無機物の含有量が少ないものを用いるのが好ましく、その含有量の目安は例えば１質量％以下（対色素原体）程度である。無機物の少ない本発明のアゾ化合物を製造するには、例えば逆浸透膜による通常の方法又は本発明のアゾ化合物の乾燥品あるいはウェットケーキを、前記の無機塩類の除去方法を適用するか、又はメタノール等のアルコール及び水の混合溶媒中で撹拌し、濾過分取、乾燥するなどの方法で脱塩処理すればよい。【００５７】
前記インク組成物の調製に用いうる水溶性有機溶剤の具体例としては、例えばメタノール、エタノール、プロパノール、イソプロパノール、ブタノール、イソブタノール、第二ブタノール若しくは第三ブタノール等のＣ１〜Ｃ４アルカノール、Ｎ，Ｎ−ジメチルホルムアミド若しくはＮ，Ｎ−ジメチルアセトアミド等のカルボン酸アミド、２−ピロリドン若しくはＮ−メチルピロリジン−２−オン等のラクタム、１，３−ジメチルイミダゾリジン−２−オン若しくは１，３−ジメチルヘキサヒドロピリミド−２−オン等の環式尿素類、アセトン若しくはメチルエチルケトン、又は２−メチル−２−ヒドロキシペンタン−４−オン等のケトン又はケトアルコール、テトラヒドロフラン若しくはジオキサン等の環状エーテル、エチレングリコール、１，２−プロピレングリコール、１，３−プロピレングリコール、１，２−ブチレングリコール、１，４−ブチレングリコール若しくは１，６−ヘキシレングリコール、ジエチレングリコール、トリエチレングリコール、テトラエチレングリコール若しくはジプロピレングリコール、又はポリエチレングリコール若しくはポリプロピレングリコール、又は、チオジグリコール若しくはジチオジグリコール等の、（Ｃ２〜Ｃ６）アルキレン単位を有するモノ、オリゴ若しくはポリアルキレングリコール、又はチオグリコール、又は、グリセリン若しくはヘキサン−１，２，６−トリオール等のトリオール等、の多価アルコール、エチレングリコールモノメチルエーテル若しくはエチレングリコールモノエチルエーテル、ジエチレングリコールモノメチルエーテル若しくはジエチレングリコールモノエチルエーテル、又はトリエチレングリコールモノメチルエーテル若しくはトリエチレングリコールモノエチルエーテル等の多価アルコールの（Ｃ１〜Ｃ４）アルキルエーテル、γ−ブチロラクトン又はジメチルスルホキシド等があげられる。これらの有機溶剤は単独で用いてもよいし、二種以上を併用してもよい。【００５８】
前記インク組成物の調製において用いられるインク調製剤は、例えば防腐防黴剤、ｐＨ調整剤、キレート試薬、防錆剤、水溶性紫外線吸収剤、水溶性高分子化合物、染料溶解剤、酸化防止剤、界面活性剤などがあげられる。以下にこれらの薬剤について説明する。【００５９】
防黴剤の具体例としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。これらはインク組成物中に０．０２〜１．００質量％使用するのが好ましい。【００６０】
防腐剤の例としては、例えば有機硫黄系、有機窒素硫黄系、有機ハロゲン系、ハロアリルスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系又は無機塩系等の化合物が挙げられる。有機ハロゲン系化合物の具体例としては、例えばペンタクロロフェノールナトリウムが挙げられ、ピリジンオキシド系化合物の具体例としては、例えば２−ピリジンチオール−１−オキサイドナトリウムが挙げられ、無機塩系化合物の具体例としては、例えば無水酢酸ソーダが挙げられ、イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド又は２−メチル−４−イソチアゾリン−３−オンカルシウムクロライド等が挙げられる。その他の防腐防黴剤の具体例として、ソルビン酸ソーダ又は安息香酸ナトリウム等があげられる。【００６１】
ｐＨ調整剤としては、調合されるインクに悪影響を及ぼさずに、インクのｐＨを例えば５〜１１の範囲に制御できるものであれば任意の物質を使用することができる。その具体例としては、例えばジエタノールアミン、トリエタノールアミン若しくはＮ−メチルジエタノールアミンなどのアルカノールアミン又は酢酸カリウム等の有機塩基、或いは、水酸化リチウム、水酸化ナトリウム若しくは水酸化カリウムなどのアルカリ金属の水酸化物、炭酸リチウム、炭酸ナトリウム、炭酸水素ナトリウム又は炭酸カリウムなどのアルカリ金属の炭酸塩、水酸化アンモニウム（アンモニア）、ケイ酸ナトリウム又はリン酸二ナトリウム等の無機塩基などが挙げられる。【００６２】
キレート試薬の具体例としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウムなどがあげられる。【００６３】
防錆剤の具体例としては、例えば、酸性亜硫酸塩、チオ硫酸ナトリウム、チオグルコール酸アンモニウム、ジイソプロピルアンモニウムナイトライト、四硝酸ペンタエリスリトール又はジシクロヘキシルアンモニウムナイトライトなどがあげられる。
水溶性紫外線吸収剤の例としては、例えばスルホン化したベンゾフェノン系化合物、ベンゾトリアゾ−ル系化合物、サリチル酸系化合物、桂皮酸系化合物又はトリアジン系化合物が挙げられる。
水溶性高分子化合物の具体例としては、ポリビニルアルコール、セルロース誘導体、ポリアミン又はポリイミン等があげられる。【００６４】
染料溶解剤の具体例としては、例えばε−カプロラクタム、エチレンカーボネート又は尿素などが挙げられる。
酸化防止剤の例としては、例えば、各種の有機系及び金属錯体系の褪色防止剤を使用することができる。前記有機系の褪色防止剤の例としては、ハイドロキノン類、アルコキシフェノール類、ジアルコキシフェノール類、フェノール類、アニリン類、アミン類、インダン類、クロマン類、アルコキシアニリン類又は複素環類、等が挙げられる。【００６５】
界面活性剤の例としては、例えばアニオン系、カチオン系、ノニオン系などの公知の界面活性剤が挙げられる。アニオン界面活性剤の例としてはアルキルスルホン酸塩、アルキルカルボン酸塩、α−オレフィンスルホン酸塩、ポリオキシエチレンアルキルエーテル酢酸塩、Ｎ−アシルアミノ酸およびその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリルスルホン酸塩、ジエチルスルホ琥珀酸塩、ジエチルヘキルシルスルホ琥珀酸又はジオクチルスルホ琥珀酸塩などが挙げられる。カチオン界面活性剤としては２−ビニルピリジン誘導体又はポリ４−ビニルピリジン誘導体などがある。両性界面活性剤の具体例としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。ノニオン界面活性剤の具体例としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレートなどのエステル系、２，４，７，９−テトラメチル−５−デシン−４，７−ジオール、３，６−ジメチル−４−オクチン−３，６−ジオール、３，５−ジメチル−１−ヘキシン−３オールなどのアセチレングリコール系（例えば、日信化学社製サーフィノール１０４、１０５、８２、４６５、オルフィンＳＴＧなど）、などが挙げられる。これらのインク調製剤は、単独もしくは混合して用いられる。【００６６】
本発明のインク組成物は前記各成分を任意の順序で混合、撹拌することによって得られる。得られたインク組成物は、所望により、狭雑物を除く為にメンブランフィルター等で濾過を行ってもよい。また、インク組成物としての黒の色味を調整するため、本発明の式（１）で示されるアゾ化合物以外に、種々の色相を有する他の色素を混合してもよい。その場合は、他の色相を有する黒色や、イエロー色、マゼンタ色、シアン色、その他の色の色素を用いることができる。【００６７】
本発明のインク組成物は、各種分野において使用することができるが、筆記用水性インク、水性印刷インク、情報記録インク等に好適であり、インクジェット用インクとして用いることが、特に好ましく、後述する本発明のインクジェット記録方法において好適に使用される。【００６８】
次に、本発明のインクジェット記録方法について説明する。本発明のインクジェット記録方法は、前記本発明のインク組成物を用いて記録を行うことを特徴とする。本発明のインクジェット記録方法においては、前記インク組成物を含有するインクジェット用インクを用いてインクジェットにより受像材料に記録を行えばよい。その際に使用するインクノズル等については特に制限はなく、目的に応じて適宜選択することができる。インクジェットにより記録する方法としては、公知のインクジェット記録方式が使用でき、例えば、静電誘引力を利用してインクを吐出させる電荷制御方式、ピエゾ素子の振動圧力を利用するドロップオンデマンド方式（圧力パルス方式）、電気信号を音響ビームに変えインクに照射して放射圧を利用してインクを吐出させる音響インクジェット方式、インクを加熱して気泡を形成し、生じた圧力を利用するサーマルインクジェット（バブルジェット（登録商標））方式等を採用することができる。なお、前記インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。【００６９】
本発明の着色体は前記の本発明の化合物又はこれを含有する水性組成物、好ましくはインク組成物で着色されたものである。より好ましくは本発明のインク組成物を用いてインクジェットプリンタによって着色されたものである。着色されるものとしては、例えば紙、フィルム等の情報伝達用シート、繊維又は/及び布（原材料はセルロース、ナイロン又は/及び羊毛等何れでもよい）、皮革、カラーフィルター用基材等が挙げられる。このうち情報伝達用シートとしては、表面処理されたものが好ましく、具体的には紙（合成紙を含む）又はフィルム等の基材にインク受容層を設けたものが好ましい。インク受容層は、例えば上記基材にカチオン系ポリマーを含浸あるいは塗工することにより、また多孔質シリカ、アルミナゾルや特殊セラミックスなどのインク中の色素を吸収し得る多孔性白色無機物をポリビニルアルコールやポリビニルピロリドン等の親水性ポリマーと共に上記基材表面に塗工することにより設けられる。このようなインク受容層を設けたものは通常インクジェット専用紙（フィルム）、光沢紙（フィルム）等と呼ばれ、例えばピクトリコ（商品名、旭硝子株式会社製）、プロフェッショナルフォトペーパー、スーパーフォトペーパー、マットフォトペーパー（いずれも商品名、キヤノン株式会社製）、ＰＭ写真用紙（光沢）、ＰＭマット紙（いずれも商品名、セイコーエプソン株式会社製）、プレミアムプラスフォト用紙、プレミアム光沢フィルム、フォト用紙（商品名、いずれも日本ヒューレット・パッカード株式会社製）、フォトライクＱＰ（商品名、コニカ株式会社製）等として市販品が入手可能である。なお、普通紙も利用できることはもちろんである。【００７０】
これらのうち、特に多孔性白色無機物を表面に塗工した情報伝達用シートに記録した画像がオゾンガスによって変退色が大きくなることが知られているが、本発明のインク組成物は耐オゾンガス性が優れているため、このような被記録材への記録の際に特に効果を発揮する。【００７１】
本発明のインクジェット記録方法で、情報伝達用シート等の被記録材に記録するには、例えば上記のインク組成物を含有する容器をインクジェットプリンタの所定位置にセットし、通常の方法で、被記録材に記録すればよい。本発明のインクジェット記録方法では、黒色の本発明のインク組成物は、公知のマゼンタインク組成物、シアンインク組成物、イエローインク組成物、更に必要に応じて、グリーンインク組成物、ブルー（又はバイオレット）インク組成物及びレッド（又はオレンジ）インク組成物等の中から、適宜選択される一種又は二種以上と併用されてもよい。併用される各色のインク組成物は、それぞれの容器に注入され、その容器を、本発明のインクジェット記録用水性ブラックインク組成物を含有する容器と同様に、インクジェットプリンタの所定位置に装填されて使用される。【００７２】
本発明のアゾ化合物は水溶解性に優れ、このアゾ化合物を含有する本発明のインク組成物は長期間保存後の結晶析出、物性変化、色変化等もなく、貯蔵安定性が良好である。又、本発明のアゾ化合物を含有する記録用ブラックインク組成物は、インクジェット記録用又は筆記具用として用いられ、普通紙及びインクジェット専用紙に記録した場合その記録画像は印字濃度の高い黒色を呈し、さらにその耐オゾンガス性、耐光性およびブロンジング性が優れている。なお、本明細書において便宜上「ブロンジング性が優れている」と記載した場合、ブロンジングを起こさない又は起こし難いことを表す。
【実施例】
【００７３】
以下、本発明を実施例によって更に具体的に説明するが、本発明は、以下の実施例によって何ら限定されるものではない。尚、本文中「部」及び「％」とあるのは、特別の記載のない限り質量基準である。又、下記の各式において、スルホン基は遊離酸の形で表記するものとする。【００７４】
実施例１
（１）２−アミノ−５−ナフトール−１，７−ジスルホン酸６．４部とｐ−トルエンスルホニルクロライド４．１部とを水中で、ｐＨ８．０〜８．５、温度７０℃で１時間反応させた後、反応液を酸性にして塩析し、析出物をろ過分取し、式（１２）の化合物を得た。得られた該化合物８．８部を水９０部中に、炭酸ナトリウムでｐＨ６．０〜８．０に調整しながら溶解した。得られた溶液に３５％塩酸６．８部を添加した後、０〜５℃に冷却し、そこに４０％亜硝酸ナトリウム水溶液３．６部を添加し、式（１２）の化合物をジアゾ化した。【００７５】
【化１２】
2007032377.tif 000016
【００７６】
このジアゾ懸濁液に、４−アミノ−５−ヒドロキシナフタレン−１，７−ジスルホン酸５．８部を水６０部に懸濁した液を添加した後、得られた懸濁液を、１０〜２０℃で、そのｐＨ値を炭酸ナトリウムにて２．４〜２．８に保持しながら４時間攪拌した。次いで、該液のｐＨ値を炭酸ナトリウムにて７．０〜８．５として懸濁物を溶解し、式（１３）のモノアゾ化合物を含む溶液を得た。【００７７】
【化１３】
2007032377.tif 000017
【００７８】
（２）水５０部に４−ニトロアニリン−２−スルホン酸ナトリウム５．２部を溶解し、ここに０〜５℃で３５％塩酸６．４部、４０％亜硝酸ナトリウム水溶液４．０部を添加しジアゾ化した。このジアゾ懸濁液を、上記反応にて得られた式（１３）のモノアゾ化合物を含む溶液に、該溶液の温度１０〜２０℃で、該溶液のｐＨ値を炭酸ナトリウムにて８．０〜９．０に保持しながら滴下した。滴下終了後、１５〜３０℃で２時間、ｐＨ８．０〜９．０で攪拌し、式（１４）のジスアゾ化合物を含む溶液を得た。【００７９】
【化１４】
2007032377.tif 000018
【００８０】
上記で得られた溶液を、７０℃に加熱後、水酸化ナトリウムにてｐＨ値を１０．５〜１１．０に保持しながら１．５時間攪拌した。該溶液を室温まで冷却後、３５％塩酸の添加によりｐＨ７．０〜８．０とし、次いで塩化ナトリウムを加えて塩析を行い、析出物を濾過分取して式（１５）の化合物を含むウェットケーキを得た。【００８１】
【化１５】
2007032377.tif 000019
【００８２】
（３）特開２００５−０６８４１６に記載の方法で得られる下記式（１６）の化合物１０．９部（反応液から３５％塩酸にてｐＨ値を０．５以下として酸析し、析出物を濾過分取し乾燥させたもの）を水１００部に分散し、分散液のｐＨを水酸化ナトリウムの添加によりｐＨ６．０〜７．０として分散物を溶解し、得られた溶液に０〜５℃で、３５％塩酸５．９部及び４０％亜硝酸ナトリウム水溶液２．９部を添加し、式（１６）の化合物をジアゾ化した。得られたジアゾ懸濁液を、上記（２）の反応にて得られた式（１５）の化合物を含むウェットケーキを水１４０部に溶解した溶液に、該溶液の温度１５〜３０℃において、該溶液のｐＨ値を炭酸ナトリウムにて８．０〜９．０に保持しながら滴下した。滴下終了後、温度１５〜３０℃、ｐＨ８．０〜９．０で２時間攪拌し、次いで、７０℃に加熱後、水酸化ナトリウムにてｐＨ値を１０．５〜１１．０に保持しながら１．５時間攪拌した。
得られた溶液を室温まで冷却後、３５％塩酸の添加によりｐＨ７．０〜８．０とし、次に塩化ナトリウムの添加により塩析し、析出物を濾過分取した。
得られたウェットケーキを水２００部に溶解し、次いでメタノール３００部の添加により晶析させ、析出物をろ過分取した。更に得られたウェットケーキを水１５０部に溶解後、２−プロパノール２００部の添加により晶析させ、析出物をろ過分取、乾燥して本発明の式（１７）のアゾ化合物（表２におけるＮｏ．３の化合物）１６．０部をナトリウム塩として得た。
この化合物のｐＨ７〜８の水溶液中での最大吸収波長（λｍａｘ）は６２６ｎｍであり、溶解度は１００ｇ／Ｌ以上であった。【００８３】
【化１６】
2007032377.tif 000020
【００８４】
【化１７】
2007032377.tif 000021
【００８５】
実施例２
（Ａ）インクの調製
下記する各成分を混合することにより黒色の本発明のインク組成物を得、０．４５μｍのメンブランフィルターで濾過する事により夾雑物を除いた。
また水はイオン交換水を使用した。インク調製時において、インクのｐＨは水酸化アンモニウムにてｐＨ７〜９に調整し、その後イオン交換水を加えることにより総量１００部とした。【００８６】
表３
2007032377.tif 000022
【００８７】
表３において、上記実施例１で得られた化合物とは、式（１７）の化合物を示す。この水性インク組成物は、長期間保存後においても、沈殿分離が生ぜず、物性の変化も生じなかった。【００８８】
（Ｂ）インクジェットプリント
上記で得られたインク組成物を使用し、インクジェットプリンタ（商品名  ＢＪ−Ｓ６３０ Ｃａｎｏｎ社製 ）により、専用光沢紙２種（１．専用光沢紙ＰＲ：プロフェッショナルフォトペーパー  ＰＲ−１０１（商品名）キヤノン社製、  ２．専用光沢紙ＰＭ：ＰＭ写真用紙（光沢）ＫＡ４２０ＰＳＫ（商品名）ＥＰＳＯＮ社製）にインクジェット記録を行った。
印刷の際は、反射濃度が数段階の階調で得られるように画像パターンを作り、ハーフトーンの黒色印字物を得た（印刷時はグレースケールモードを用いているため、黒色記録液以外のイエロー、シアン、マゼンタの各記録液は併用されていない）。耐光性試験、耐オゾンガス性試験の評価は測色機（ＳｐｅｃｔｒｏＥｙｅ  ＧＲＥＴＡＧ−ＭＡＣＢＥＴＨ社製）を用い、試験前の印刷物の反射濃度Ｄ値が１.０に最も近い階調部分を用いて行った。【００８９】
（Ｃ）記録画像の評価  
本発明の水性インク組成物による記録画像につき、耐光性試験後の濃度変化および耐オゾンガス性試験後の濃度変化について評価を行った。尚、試験は前記のインクジェットプリントを行った専用光沢紙ＰＲ及び専用光沢紙ＰＭについて行った。その結果を（表４）に示した。具体的な試験方法は下記に示した。
１）耐光性試験
キセノンウェザオメーター（Ｃｉ４０００  ＡＴＬＡＳ社製）を用い、印刷サンプルとの間に空気層が生じるように２ｍｍ厚のガラス板を設置して、０．３６Ｗ／平方メートルの照度で湿度６０％ＲＨ、温度２４℃という条件で５０時間照射した。試験終了後、上記の測色機を用いて測色した。色素残存率を（試験後の反射濃度／試験前の反射濃度）×１００（％）で計算し評価した。判定は以下の基準で行った。
○  残存率：９５％以上
△  残存率：９５％未満で９０％以上
×  残存率：９０％未満
２）耐オゾンガス性試験
オゾンウェザオメーター（スガ試験機社製）を用いてオゾン濃度を４０ｐｐｍ、湿度６０％ＲＨ、温度２４℃で印刷サンプルを４時間放置した。試験終了後上記の測色機を用いて測定した。色素残存率を（試験後の反射濃度／試験前の反射濃度）×１００（％）で計算して求め評価した。判定は以下を基準に行った。
○  残存率：７０％以上
△  残存率：６０％以上７０％未満
×  残存率：６０％未満
【００９０】
比較例１
比較対象は水溶性インクジェット用色素として、特許文献１の表１−１の１の色素（下記式（１８））を用いて実施例２と同様のインク組成でインク組成物を調製した。得られた記録画像の印字濃度評価、耐光性評価および耐オゾンガス性評価の結果を（表４）に示した。【００９１】
【化１８】
2007032377.tif 000023
【００９２】
比較例２
同様に、比較対象には水溶性インクジェット用色素として、特許文献３の実施例１で説明される色素ＡＮ−２５０（下記式（１９））を用いて実施例２と同様のインク組成でインク組成物を調製した。得られた記録画像の印字濃度評価、耐光性評価および耐オゾンガス性評価の結果を（表４）に示した。【００９３】
【化１９】
2007032377.tif 000024
【００９４】
表４
2007032377.tif 000025
【００９５】
表４の結果より明らかなように、本発明のアゾ化合物を含有するインク組成物により記録された画像は、従来の黒色染料（比較例）の画像と比較して耐光性では同等か又はそれ以上の堅牢性を示した。また耐オゾンガス性においてはより明確に差が現れた。すなわち本発明の実施例２においてはいずれの専用光沢紙においても色素残存率が７０％以上を示したが、比較例１では専用光沢紙ＰＲにおいては色素残存率が６０％未満、専用光沢紙ＰＭにおいては６０％以上７０％未満であり、さらに比較例２においてはいずれの光沢紙を用いた場合でも色素残存率は６０％未満であった。これにより本発明のアゾ化合物により記録された画像の耐オゾンガス堅牢度は極めて優れていることがわかる。
また本発明のアゾ化合物は溶解度が高く安定なので、高濃度のインクが設計できる。
【産業上の利用可能性】
【００９６】
本発明のアゾ化合物を含有する水性組成物、特に水性インク組成物は、貯蔵安定性が良好であり、かつ、該インク組成物による記録物は耐光性及び耐オゾンガス性に優れることから、インクジェット記録用及び/又は筆記用具用ブラックインク液として好適に用いられる。
【国際調査報告】
2007032377.tif 000028
2007032377.tif 000029